(57)【要約】      （修正有）【課題】金融商品紹介ロールプレイ用レジュメ集を提供する。【課題手段】仮定される顧客属性に応じ説明する側が自分なりの最適レジュメを選択し、これを利用してロールプレイするように構成したレジュメ目次紙シート０１００とレジュメ紙シートと、からなり、これらをバッグに収納する。【選択図】図１
0003219429.tif 000002
【実用新案登録請求の範囲】
【請求項１】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなる金融商品紹介ロールプレイ用レジュメ集であって、
レジュメ目次紙シートは、目次として通常の代表的なライフイベント名称及びライフリスク名称を少なくとも含むカテゴリを複数複数印刷配置して備え、各カテゴリ配下にロールプレイの際に同カテゴリ内に含まれる複数のレジュメ紙シートの中で話題としてピックアップする話の進め方推薦順に順番を識別できる識別子を付して各カテゴリに属するレジュメ名称を印刷配置し、
各レジュメ紙シートは、各カテゴリにおける課題又はソリューションをテーマとし、社会統計、法律、政令、公共データ、のいずれか一以上に関連した情報を印刷された図面を用いて説明する紙シートであって、紙シートの余白部分にその紙シートが属するカテゴリ名称と、同カテゴリ内に含まれる複数のレジュメ紙シートの中で話の進め方推薦順を示す識別子が印刷記載されている金融商品紹介ロールプレイ用レジュメ集。
【請求項２】
前記図面の少なくとも一部は暖色系の色彩が複数種用いられている請求項１に記載の金融商品紹介ロールプレイ用レジュメ集。
【請求項３】
各レジュメ紙シートの情報記載領域中に占める図面の専有面積は少なくとも３０％である請求項１又は請求項２に記載の金融商品紹介ロールプレイ用レジュメ集。
【請求項４】
前記ライフイベント又はライフリスク名称である各カテゴリ名称は、社会情勢とライフプランに関係する名称、子育てに関係する名称、住宅に関係する名称、医療に関係する名称、退職、セカンドライフに関係する名称、公的年金制度に関係する名称、税金に関係する名称、地域サービスに関係する名称、介護に関係する名称、金融経済に関係する名称の少なくとも一部を含むものである請求項１から請求項３のいずれか一に記載の金融商品紹介ロールプレイ用レジュメ集。
【請求項５】
カテゴリ数は、８個以上で１３個以下である請求項１から請求項４のいずれか一に記載の金融商品紹介ロールプレイ用レジュメ集。
【請求項６】
レジュメ目次紙シートは１枚である請求項１から請求項５のいずれか一に記載の金融商品紹介ロールプレイ用レジュメ集。
【請求項７】
各レジュメ紙シートは１テーマで１紙シートで完結する請求項１から請求項６のいずれか一に記載の金融商品紹介ロールプレイ用レジュメ集。
【請求項８】
各カテゴリ毎の複数のレジュメ紙シートに対応してカテゴリ名称を付したレジュメ紙シート表紙がある請求項１から請求項７のいずれか一に記載の金融商品紹介ロールプレイ用レジュメ集。
【請求項９】
請求項１から請求項８のいずれか一に記載の金融商品紹介ロールプレイ用レジュメ集と、
これを収納するバッグからなる金融商品紹介ロールプレイ用レジュメセットであって、
前記バッグはＡ４型用紙横向きに印刷されたレジュメ目次シートと、Ａ４型用紙横向きに印刷されたレジュメ紙シートとを横向きに収納するポケットを重なるように備え、ポケットの先頭にレジュメ目次シートが収納され、その後ろに各レジュメ紙シートがレジュメ目次順に収納されている金融商品紹介ロールプレイ用レジュメセット。
【請求項１０】
前記バッグは透明又は半透明素材からなり、先頭に収納されているレジュメ目次シートがバッグ外から見通せる請求項９に記載の金融商品紹介ロールプレイ用レジュメセット。
【請求項１１】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなる金融商品紹介ロールプレイ用レジュメ集であって、
レジュメ目次紙シートは、目次として通常の代表的なライフイベント名称及びライフリスク名称を少なくとも含むカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
各レジュメ紙シートは、一つのレジュメ名称に対応して各々が一枚で構成されるとともに前記レジュメ名称をレジュメ紙上部に印刷配置し、印刷されたレジュメ名称の位置よりも下方に社会統計、法律、政令、公共データ、のいずれか一以上に関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷配置されている金融商品紹介ロールプレイ用レジュメ集。
【請求項１２】
レジュメ目次シートは１枚で構成されている請求項１から請求項８、請求項１１のいずれか一に記載の金融商品紹介ロールプレイ用レジュメ集。
【請求項１３】
複数のレジュメ紙シートは、ピックアップして集合させることができるように独立の相互に分離されたシートである請求項１から請求項８、請求項１１、請求項１２のいずれか一に記載の金融商品紹介ロールプレイ用レジュメ集。
【請求項１４】
請求項１１から請求項１３のいずれか一に記載の金融商品紹介ロールプレイ用レジュメ集と、
これを収納するバッグからなる金融商品紹介ロールプレイ用レジュメセットであって、
前記バッグはＡ４型用紙横向きに印刷されたレジュメ目次シートと、Ａ４型用紙横向きに印刷されたレジュメ紙シートとを横向きに収納するポケットを重なるように備え、ポケットの先頭にレジュメ目次シートが収納され、その後ろに各レジュメ紙シートがレジュメ目次順に収納されている金融商品紹介ロールプレイ用レジュメセット。
【請求項１５】
前記バッグは透明又は半透明素材からなり、先頭に収納されているレジュメ目次シートがバッグ外から見通せる請求項１４に記載の金融商品紹介ロールプレイ用レジュメセット。
【請求項１６】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなるロールプレイ用レジュメ集であって、
レジュメ目次紙シートは、目次として顧客に対する話題の属するカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
各レジュメ紙シートは、一つのレジュメ名称に対応して各々が一枚で構成されるとともに前記レジュメ名称をレジュメ紙上部に印刷配置し、印刷されたレジュメ名称の位置よりも下方にレジュメ名称で示されるテーマに関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷記載されている金融商品紹介ロールプレイ用レジュメ集。
【請求項１７】
レジュメ目次シートは１枚で構成されている請求項１６に記載の金融商品紹介ロールプレイ用レジュメ集。
【請求項１８】
複数のレジュメ紙シートは、ピックアップして集合させることができるように独立の相互に分離されたシートである請求項１７又は請求項１８に記載の金融商品紹介ロールプレイ用レジュメ集。
【考案の詳細な説明】
【技術分野】
【０００１】
本考案は、商品、サービスを紹介するピックアップレジュメ集に関する。
【背景技術】
【０００２】
ロールプレイは教育方法の1つで、役割演技法ともいう。 実際の場面を設定し、そこでの役割を演じることで、実務上のポイントを体得する訓練法である。例えば、セールス技術のトレーニングや、マナー教育など、基本技能の修得や対人能力の向上を目的とした研修によく用いられ、幅広い用途で使用することができる。
【先行技術文献】
【特許文献】
【０００３】
【特許文献１】WO2008/004310
【考案の概要】
【考案が解決しようとする課題】
【０００４】
投資信託や変額年金保険など金融商品はさまざまあり、金融の素人ともいえる顧客には理解が難しい。コンプライアンスの徹底の点から、顧客が理解したと意思表示することが大切なため、各金融商品を金融専門でない方が、理解できるよう説明できなければならない。
【０００５】
しかしながら金融商品は一般的なコンシューマー商品と異なり、顧客の属性に応じて必要な商品の組合せが膨大な数にのぼる。例えば顧客の年齢、独立営業か会社勤務か、両親の健在可否、子供の有無、持ち家などに関する将来設計など、どのような属性を有する顧客であるかによって、金融商品の説明や営業は千差万別となる。一方、従来から用いられているロールプレイ用の素材は、話の進め方が固定的で、顧客の状況に応じて臨機応変に利用できるようなものはなかった。
【課題を解決するための手段】
【０００６】
本考案はレジュメ目次紙シートとレジュメ紙シートをフォルダーに収納し、仮定される顧客属性に応じて演者が自分なりの最適レジュメを選択し、これを利用してロールプレイするように構成した。
【考案の効果】
【０００７】
従って、単にロールプレイする際のコミュニケーションのみでなく、どのような話題についてコミュニケーションをとればよいかという話題の選択能力とストーリーの組立能力も鍛えられることとなる。つまり、指導者は顧客属性に応じて話題が選択できたか、顧客属性に応じた話題の順序をつくれたか、の指導ができるのである。もちろん、本願の金融商品紹介ロールプレイ用レジュメ集は、実際の顧客対面での説明においても利用できるものである。
【図面の簡単な説明】
【０００８】
【図１】レジュメ紙目次シート
【図２】レジュメ紙シート
【図３】レジュメ紙シート
【図４】バッグのポケット
【図５】バッグの外観斜視図
【考案を実施するための形態】
【０００９】
以下に本考案の実施例を説明する。実施例と請求項の相互の関係は以下のとおりである。実施例１は主に請求項１、請求項３及び請求項４、実施例２は主に請求項２、請求項３及び請求項４に関するもので、以下同様に実施例と請求項の番号が対応している。なお、本考案はこれらの実施例に何ら限定されるものではなく、その要旨を逸脱しない範囲において、種々なる態様で実施しうる。
【実施例１】
【００１０】
＜実施例１の概要＞
【００１１】
本考案はレジュメ目次紙シートと、複数のレジュメ紙シートからなる金融商品ほかの紹介ロールプレイ用レジュメ集である。実際の顧客対面での説明にも使用できる。
＜実施例１の構成＞
【００１２】
本考案の金融商品ほかの紹介ロールプレイ用レジュメ集は、レジュメ目次紙シート（０１００）と、複数のレジュメ紙シート（図２：０２００、図３：０３００）からなる。演者側は、指導者側から与えられる想定顧客属性情報をもとに、レジュメ目次紙シートに記載されるレジュメ紙シートの中から最適なものを選択しロールプレイに用いる。
【００１３】
想定顧客属性は、想定する顧客が持つ情報を年齢や性別、地域、職業などで分類したものからなり、より具体的に顧客像を絞り込むことができる。これによりロールプレイが実際の顧客対面での説明に近いものとなる。
【００１４】
＜レジュメ目次紙シート＞
【００１５】
レジュメ目次紙シート（図１：０１００）は、目次が印刷された紙であり、目次には少なくとも代表的なライフイベント名称及びライフリスク名称を少なくとも含むカテゴリが複数印刷され配置して備えられる。各カテゴリ配下にはロールプレイの際に、同カテゴリ内に含まれる複数のレジュメ紙シートの中で、話題としてピックアップする話の進め方推薦順に順番を識別できる識別子が付される。これにより、生徒側は何をどのように話したらよいのかが、わかるようになっている。バッグ（図５：０５００）から、目次により選択したレジュメを探してフォルダーより抜き上げることからピックアップレジュメとも呼ばれる。名称の一例としては、「子育て」、「金融・経済」ほかがある。
【００１６】
前記ライフイベントは人の一生涯で起こるさまざまな出来事のことを指す。具体的には、誕生、就学、就職、事業開始、結婚、出産、子育て、教育、リタイア、セカンドライフ等が挙げられる。また家の購入、車の購入、旅行などもイベントとなる。イベントを実行するためには、なんらかの費用がかかるのが特徴となる。このライフイベントは説明を想定する顧客属性に応じて選択される性質のものである。つまり、顧客属性として顧客の年齢、独立営業か会社勤務か、両親の健在可否、子供の有無、持ち家などに関する将来設計など、に応じて選択されるライフイベントが異なってくる。例えば、結婚直前のサラリーマンで、将来は持ち家に子供二人と暮らすことを希望するような顧客に対しては、結婚、出産、子育て、教育、家の購入などがピックアップされる。また退職直前のサラリーマンであれば、リタイア、セカンドライフなどのテーマがピックアップされる。
【００１７】
前記ライフリスクは、ライフサイクルリスク、ビジネスリスク、ホームリスクなどに区分されるライフサイクルと共に高まるリスク、ビジネスに関するリスク、ホームすなわち家庭のリスクなどがあり、ライフイベントや種々の計画を阻害する。例えば医療、介護、金融経済などが該当する。退職直前のサラリーマンでいまだに親が健在である顧客に対しては、医療や介護のテーマがピックアップされる。さらに、金融商品をすでに保有している顧客に対しては金融・経済などがピックアップされる。
【００１８】
各カテゴリ配下には、ロールプレイの際話題としてピックアップする話の進め方を推薦順に順番を識別できる識別子を付しており、各カテゴリに属するレジュメ名称が印刷配置されている。
【００１９】
＜レジュメ紙シート＞
【００２０】
各レジュメ紙シート（図２：０２００）は、各カテゴリにおける課題（０２０１）又はソリューションと呼ばれる解決法（図３：０３０７）をテーマとし、社会統計、法律、政令、公共データ、のいずれか一以上に関連する情報を印刷された図面（図３：０３０６）を用いて説明する紙シートである。
【００２１】
前記図面に加え、表（図２：０２０３）を大きく配置することにより、内容を客観的かつ目で見てわかるように作成することができる。
【００２２】
レジュメ紙シートの余白部分（図２：０２０５）には、その紙シートが属するカテゴリ名称（ライフイベント、ライフリスクを示す）と、同カテゴリ内に含まれる複数のレジュメ紙シートの中で話の進め方推薦順を示す識別子（図２：０２０４）が印刷記載されている金融商品紹介ほかのロールプレイ用レジュメ集である。図２の例では住宅というカテゴリ名称中で、「住宅にかかる費用」という名称のレジュメは１番目に話すのが一般に適していることを示す。
【００２３】
なおレジュメ目次紙シートと複数のレジュメ紙シートは携帯用じゃばら式投げ込み式ドキュメントファイルからなるバッグ（図５：０５００）を使用して保管することで、効率的に利用、管理することができる。
【実施例２】
【００２４】
＜実施例２の概要＞
＜実施例２の構成＞
【００２５】
本考案は前記図面の少なくとも一部には暖色系の色彩が複数種用いられている金融商品紹介ロールプレイ用レジュメ集である。
【００２６】
図３において下部（図３：０３０１）にある「ポイント」表示（図３：０３０５）を、赤字に白抜きの文字とすること、前記「ポイント」の下に続く箇条書き（図３：０３０７）の内容を目立たせるために箇条書き全体を枠（図３：０３０４）で囲み、その枠にはオレンジ色が使われること、シート（図３：０３００）の図部分（図３：０３０６）中にある「物件価格」「必要経費」「住宅購入資金」などを囲む枠内を黄色で塗りつぶすこと、が暖色系の色彩を複数種用いることの例となる。
【００２７】
暖色系は心理学的には、太陽や火を連想して暖かさを感じる、暖かい色、熱い色のことであり、興奮色とも呼ばれる。また、これに囲まれるものが実際よりも大きく感じられることから膨張色とされる。一般に元気で楽しそうなイメージを出したいときには暖色を使用するとされる。このように住宅の購入という、一般には大変なイメージを持ち、読みたくない、という心理が働くレジュメを暖色系にして、読みやすくしている。
【実施例３】
【００２８】
＜実施例３の概要＞
【００２９】
本考案の金融商品紹介ロールプレイ用レジュメ集において各レジュメ紙シート（図２：０２００、図３：０３００）の情報記載領域中に占める図面（図３：０３０６）の専有面積は少なくとも３０％とする。理由は金融商品等の紹介において、図面の専有面積が３０％よりも小さい場合、文字数が増えてしまい、説明を受ける方の総体的な理解度が低くなる可能性が高いためである。
【００３０】
図３（図３：０３００）において図面（図３：０３０６）は、図全体の中に、イラスト（図３：０３０８）、詳細情報（図３：０３０２）などを含めることにより、情報量の低下を防いでいる。また下部にある情報（図３：０３０１）も箇条書きの文字を暖色の枠で囲むことにより視覚に訴えるものとなっている。
【実施例４】
【００３１】
＜実施例４の概要＞
【００３２】
本考案の金融商品紹介ロールプレイ用レジュメ集にある前記ライフイベント又はライフリスク名称である各カテゴリ名称は、社会情勢とライフプランに関係する名称、子育てに関係する名称、住宅に関係する名称、医療に関係する名称、退職、セカンドライフに関係する名称、公的年金制度に関係する名称、税金に関係する名称、地域サービスに関係する名称、介護に関係する名称、金融経済に関係する名称の少なくとも一部を含んでいる。
【００３３】
カテゴリ名称が各レジュメ名称の少なくとも一部を含むことにより、説明する側、説明される側のどちらにとっても、説明したい又は説明されたい内容が含まれるレジュメを素早く取り出して、説明へと移ることができる。
【実施例５】
【００３４】
＜実施例５の概要＞
【００３５】
本考案の金融商品ほか紹介ロールプレイ用レジュメ集のカテゴリ数は、８個以上で１３個以下とする。カテゴリ数が８個以下の場合、レジュメ集自体が物足りないものとなり顧客が信頼を寄せないことが懸念される。またロールプレイ用とした場合、カテゴリが少な過ぎるころにより、紹介ロールプレイの学習効果が８個以上１３個以下の場合と比較して低減する。
【００３６】
逆に１４個以上の場合、レジュメ集自体が、的を絞り切れていない漠然としたものとなり、同様に顧客が信頼を寄せない懸念がある。またロールプレイ用とした場合、カテゴリが多過ぎる場合は、指導を受ける生徒側が十分に消化できないことが考えられ、紹介ロールプレイの学習効果が８個以上１３個以下の場合と比較して低減する可能性が高い。
【実施例６】
【００３７】
＜実施例６の概要＞
【００３８】
本考案の金融商品ほか紹介ロールプレイ用レジュメ集のレジュメ目次紙シート（図１：０１００、図５：０５０２）は１枚であることを基本とする。理由は目次の一覧性（図５：０５０１）を高め、バッグ（図５：０５００）のフォルダー内に封入されているレジュメの内容を把握し理解しやすくするためである。
【００３９】
また1枚を基本とするのは目次紙シートが多数あると、一覧できないため、何が含まれているのかが、説明する側、説明される側、双方の頭に入りにくくなるためである。
【実施例７】
【００４０】
＜実施例7の概要＞
【００４１】
本考案の金融商品ほか紹介ロールプレイ用レジュメ集においては、各レジュメ紙シートは１テーマ１紙シートで完結するよう作成する。１テーマ（図２：０２０６、図３：０３０９）が１枚以上の紙シートにまたがると、シートの内容が一覧できないため、説明を受ける者がテーマの理解がむずかしくなるためである。これは1枚企画書の提唱につながるもので、長過ぎてわからない企画書を簡潔にまとめ、読む人にわかりやすくすることである。また１テーマ１シートの考え方は、1シートにたくさんの内容が書かれていると、説明を受ける者にとってわかりにくいため、1シートには1枚でまとめるということも示している。
【実施例８】
【００４２】
＜実施例８の概要＞
【００４３】
本考案の金融商品ほか紹介ロールプレイ用レジュメ集においては、各カテゴリにある複数のレジュメ紙シートに対応するカテゴリ名称を付したレジュメ紙シート表紙を作成する。これはピックアップレジュメと呼ばれるもので、これにより、目的の内容のレジュメ集を、まずカテゴリの中から検索してから、探すことができるため、バッグ内にあるフォルダー内の目的の金融商品ほかの紹介ロールプレイ用レジュメ集へ短時間に到達することができる。
【実施例９】
【００４４】
本考案は金融商品紹介ロールプレイ用レジュメ集と、これを収納するバッグからなる金融商品紹介ロールプレイ用レジュメセットである。本考案のバッグはＡ４型横置き用紙に横書きにより印刷されたレジュメ目次シートと、同じくＡ４型横置き用紙に横向きに印刷されたレジュメ紙シートとを横向きに収納するポケットを重なるように備えている。（図５：０５００）
【００４５】
図４（図４：０４００）はレジュメ収納用バッグを真上から見たものである。手前にレジュメ目次（図４：０４０１）を備え、続いてレジュメ紙シートがA（図４：０４０２）B（図４：０４０３）、C（図４：０４０４）、D（図４：０４０５）、E（図４：０４０６）、F（図４：０４０７）、G（図４：０４０８）、H（図４：０４０９）、I（図４：０４１０）、J（図４：０４１１）と順番にバッグ内に配置される。
【００４６】
金融商品紹介ロールプレイ用レジュメセットでは、バッグのポケットの先頭にレジュメ目次シートが収納される。このレジュメ目次紙シートには、ライフイベントやライフリスクをカテゴリとして表示するとともに、アルファベットで「Ａ」から「Ｊ」の記号が付されている。その後ろの各ポケットに各レジュメ紙シートがレジュメ目次「Ａ」から「Ｊ」順に収納されている。そのため、目次を通じてバッグの内容を理解することができるだけでなく、そのレジュメを容易に探し出すことができる。
【実施例１０】
【００４７】
本考案のレジュメ収納バッグ（図５：０５００）は、透明又は半透明の素材からなり、レジュメ集の先頭に収納されているレジュメ目次シート（図１：０１００）がバッグ外から見通しが可能（図５：０５０１）でなければならない。
【００４８】
外から見通しが可能であることにより、バッグを開けてレジュメ目次シートを取り出すことなく、中にどのような内容のロールプレイ用レジュメが収納されているかがわかる（図５：０５０２）。その結果ピックアップレジュメ目次を取り出して内容を確認する手間を省き、時間を短縮することができる。
【００４９】
収納用バッグは蛇腹状のポケットを持ち、ポケットの数は目次と同じか又はそれ以上の数があり、紹介ロールプレイ用レジュメを収納する。
【００５０】
収納用のバッグには、ボタンが配置され、バッグ本体へ留めることができることが望ましい。中に収納している金融商品紹介ロールプレイ用レジュメが誤ってバッグ外に落ちないようにするためである。
【実施例１１】
【００５１】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなる金融商品紹介ロールプレイ用レジュメ集であって、レジュメ目次紙シートは、目次として通常の代表的なライフイベント名称及びライフリスク名称を少なくとも含むカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
【００５２】
各レジュメ紙シートは、一つのレジュメ名称に対応して各々が一枚で構成されるとともに前記レジュメ名称をレジュメ紙上部に印刷配置し、印刷されたレジュメ名称の位置よりも下方に社会統計、法律、政令、公共データ、のいずれか一以上に関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷配置されている金融商品紹介ロールプレイ用レジュメ集。
【００５３】
ここで、カテゴリ名称は、縦一列、横一列、ないしは縦横碁盤目状に配列するのが好ましい。カテゴリ名称の先頭文字を縦方向にそろえるか、カテゴリ名称のレジュメ目次シート内での高さをそろえるか、両者をそろえるように配置する。目次の全体を把握しやすくするためである。図面のレジュメ紙シート内に占める専有面積は、２０％から４０％程度とすることが好ましい。人が把握しやすいとともに、関連情報を周囲に配置する余裕も持たせられるからである。
【実施例１２】
【００５４】
本実施例は、レジュメ目次シートは１枚で構成されている実施例１１に記載の金融商品紹介ロールプレイ用レジュメ集である。そしてレジュメ目次シートとレジュメ紙シートとは同じ大きさ、形であることが好ましい。収納した際に両者が重なるようにすると持ち運びに便利であり、取り扱いやすいからである。
【実施例１３】
【００５５】
本実施例は、実施例１から実施例１２のいずれかを基本とし、複数のレジュメ紙シートは、ピックアップして集合させることができるように独立の相互に分離されたシートである金融商品紹介ロールプレイ用レジュメ集である。本レジュメ集は、学習者、実演者などが、どのレジュメをピックアップか、も学習の重要な要素だからである。ピックアップできる単位が、学習者、実演者が与えられるテーマをどのようにとらえ、どのように説明しようとしているか把握できるようにするためである。
【実施例１４】
【００５６】
本実施例は、実施例１１から実施例１３を基本とした金融商品紹介ロールプレイ用レジュメ集を収納したものである。収納は矩形のシートの長いほうの辺が横になるように収納することが好ましい。そうすれば、長いほうの辺の余白に印刷等されている識別情報、例えばカテゴリ名称と、その中での説明順位などを収納された状態で把握できるからである。
【００５７】
これを収納する器としては、プラスティック製のバッグ、ファイル収納バッグ、ケースなどで良い。ただし透明素材から構成されているとなお好ましい。
【００５８】
前記バッグはＡ４型用紙横向きに印刷されたレジュメ目次シートと、Ａ４型用紙横向きに印刷されたレジュメ紙シートとを横向きに収納するポケットを重なるように備え、ポケットの先頭にレジュメ目次シートが収納され、その後ろに各レジュメ紙シートがレジュメ目次順に収納されている金融商品紹介ロールプレイ用レジュメセットであるとなお好ましい。
【実施例１５】
【００５９】
前記バッグは透明又は半透明素材からなり、先頭に収納されているレジュメ目次シートがバッグ外から見通せる実施例１４に記載の金融商品紹介ロールプレイ用レジュメセットは、レジュメ目次シートとレジュメシートを挿入するポケットが別になっていてもよい。
さらに、レジュメシートを挿入するポケットはカテゴリごとに別であってもよい。さらに他の参考資料、予備資料などを挿入する予備ポケットがあってもよい。
【実施例１６】
【００６０】
本実施例は、レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなるロールプレイ用レジュメ集であって、
【００６１】
レジュメ目次紙シートは、目次として顧客に対する話題の属するカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
【００６２】
各レジュメ紙シートは、一つのレジュメ名称に対応して各々が一枚で構成されるとともに前記レジュメ名称をレジュメ紙上部に印刷配置し、印刷されたレジュメ名称の位置よりも下方にレジュメ名称で示されるテーマに関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷記載されている金融商品紹介ロールプレイ用レジュメ集である。
【実施例１７】
【００６３】
本実施例は、実施例１６のものを基本とし、レジュメ目次シートは１枚で構成されている金融商品紹介ロールプレイ用レジュメ集である。１枚で構成される理由はすでに別の実施例で述べた理由と同じである。
【実施例１８】
【００６４】
本実施例は、実施例１６、実施例１７を基本とし、複数のレジュメ紙シートは、ピックアップして集合させることができるように独立の相互に分離されたシートである金融商品紹介ロールプレイ用レジュメ集である。
【符号の説明】
【００６５】
０１００：ピックアップレジュメ目次紙シート
０２００、０３００：レジュメ紙シート
０２０６、０３０９：テーマ
０２０１：表タイトル
０２０２：図タイトル
０２０５：空白
０２０４、０３０３：識別子
０３０８：イラスト
０３０１：ポイント表示
０３０２：詳細情報
０３０４：暖色枠
０３０５：暖色「Point!」表示
０３０６：図
０２０３：表
０３０７：ソリューション（解決法）
０５００：バッグ
０５０１：視線
０４０１、０４０２、０４０３、０４０５、０４０６、０４０７、０４０８、０４０９、０４１０、０４１１：ポケット
０５０３：ボタン
【図１】
0003219429.tif 000003
【図２】
0003219429.tif 000004
【図３】
0003219429.tif 000005
【図４】
0003219429.tif 000006
【図５】
0003219429.tif 000007
【手続補正書】
【提出日】平成30年10月16日(2018.10.16)
【手続補正１】
【補正対象書類名】実用新案登録請求の範囲
【補正対象項目名】全文
【補正方法】変更
【補正の内容】
【実用新案登録請求の範囲】
【請求項１】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなる金融商品紹介ロールプレイ用レジュメ集であって、
レジュメ目次紙シートは、目次として通常の代表的なライフイベント名称及びライフリスク名称を少なくとも含むカテゴリを複数印刷配置して備え、各カテゴリ配下にロールプレイの際に同カテゴリ内に含まれる複数のレジュメ紙シートの中で話題としてピックアップする話の進め方推薦順に順番を識別できる識別子を付して各カテゴリに属するレジュメ名称を印刷配置し、
各レジュメ紙シートは、各カテゴリにおける課題又はソリューションをテーマとし、社会統計、法律、政令、公共データ、のいずれか一以上に関連した情報を印刷された図面を用いて説明する紙シートであって、紙シートの余白部分にその紙シートが属するカテゴリ名称と、同カテゴリ内に含まれる複数のレジュメ紙シートの中で話の進め方推薦順を示す識別子が印刷記載されている金融商品紹介ロールプレイ用レジュメ集。
【請求項２】
前記図面の少なくとも一部は暖色系の色彩が複数種用いられている請求項１に記載の金融商品紹介ロールプレイ用レジュメ集。
【請求項３】
各レジュメ紙シートの情報記載領域中に占める図面の専有面積は少なくとも３０％である請求項１又は請求項２に記載の金融商品紹介ロールプレイ用レジュメ集。
【請求項４】
前記ライフイベント又はライフリスク名称である各カテゴリ名称は、社会情勢とライフプランに関係する名称、子育てに関係する名称、住宅に関係する名称、医療に関係する名称、退職、セカンドライフに関係する名称、公的年金制度に関係する名称、税金に関係する名称、地域サービスに関係する名称、介護に関係する名称、金融経済に関係する名称の少なくとも一部を含むものである請求項１から請求項３のいずれか一に記載の金融商品紹介ロールプレイ用レジュメ集。
【請求項５】
カテゴリ数は、８個以上で１３個以下である請求項１から請求項４のいずれか一に記載の金融商品紹介ロールプレイ用レジュメ集。
【請求項６】
レジュメ目次紙シートは１枚である請求項１から請求項５のいずれか一に記載の金融商品紹介ロールプレイ用レジュメ集。
【請求項７】
各レジュメ紙シートは１テーマで１紙シートで完結する請求項１から請求項６のいずれか一に記載の金融商品紹介ロールプレイ用レジュメ集。
【請求項８】
各カテゴリ毎の複数のレジュメ紙シートに対応してカテゴリ名称を付したレジュメ紙シート表紙がある請求項１から請求項７のいずれか一に記載の金融商品紹介ロールプレイ用レジュメ集。
【請求項９】
請求項１から請求項８のいずれか一に記載の金融商品紹介ロールプレイ用レジュメ集と、
これを収納するバッグからなる金融商品紹介ロールプレイ用レジュメセットであって、
前記バッグはＡ４型用紙横向きに印刷されたレジュメ目次シートと、Ａ４型用紙横向きに印刷されたレジュメ紙シートとを横向きに収納するポケットを重なるように備え、ポケットの先頭にレジュメ目次シートが収納され、その後ろに各レジュメ紙シートがレジュメ目次順に収納されている金融商品紹介ロールプレイ用レジュメセット。
【請求項１０】
前記バッグは透明又は半透明素材からなり、先頭に収納されているレジュメ目次シートがバッグ外から見通せる請求項９に記載の金融商品紹介ロールプレイ用レジュメセット。
【請求項１１】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなる金融商品紹介ロールプレイ用レジュメ集であって、
レジュメ目次紙シートは、目次として通常の代表的なライフイベント名称及びライフリスク名称を少なくとも含むカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
各レジュメ紙シートは、一つのレジュメ名称に対応して各々が一枚で構成されるとともに前記レジュメ名称をレジュメ紙上部に印刷配置し、印刷されたレジュメ名称の位置よりも下方に社会統計、法律、政令、公共データ、のいずれか一以上に関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷配置されている金融商品紹介ロールプレイ用レジュメ集。
【請求項１２】
レジュメ目次シートは１枚で構成されている請求項１から請求項８、請求項１１のいずれか一に記載の金融商品紹介ロールプレイ用レジュメ集。
【請求項１３】
複数のレジュメ紙シートは、ピックアップして集合させることができるように独立の相互に分離されたシートである請求項１から請求項８、請求項１１、請求項１２のいずれか一に記載の金融商品紹介ロールプレイ用レジュメ集。
【請求項１４】
請求項１１から請求項１３のいずれか一に記載の金融商品紹介ロールプレイ用レジュメ集と、
これを収納するバッグからなる金融商品紹介ロールプレイ用レジュメセットであって、
前記バッグはＡ４型用紙横向きに印刷されたレジュメ目次シートと、Ａ４型用紙横向きに印刷されたレジュメ紙シートとを横向きに収納するポケットを重なるように備え、ポケットの先頭にレジュメ目次シートが収納され、その後ろに各レジュメ紙シートがレジュメ目次順に収納されている金融商品紹介ロールプレイ用レジュメセット。
【請求項１５】
前記バッグは透明又は半透明素材からなり、先頭に収納されているレジュメ目次シートがバッグ外から見通せる請求項１４に記載の金融商品紹介ロールプレイ用レジュメセット。
【請求項１６】
レジュメ目次紙シートと、レジュメ目次紙シートに記載されておりロールプレイに際して指導者側から与えられた想定顧客属性情報をもとにして生徒側が一部をピックアップして用いる複数のレジュメ紙シートと、からなるロールプレイ用レジュメ集であって、
レジュメ目次紙シートは、目次として顧客に対する話題の属するカテゴリ名称を複数印刷配置して備え、印刷配置された各カテゴリ名称の下方位置又は側方位置に同カテゴリ内に含まれる複数のレジュメ紙シートの中でロールプレイの際に話題としてピックアップする話の進め方推薦順に順番を識別できる識別子を付して各カテゴリに属するレジュメ名称を印刷配置し、
各レジュメ紙シートは、一つのレジュメ名称に対応して各々が一枚で構成されるとともに前記レジュメ名称をレジュメ紙上部に印刷配置し、印刷されたレジュメ名称の位置よりも下方にレジュメ名称で示されるテーマに関連した情報を説明するための図面が印刷された紙シートであって、紙シートの周縁余白部分にその紙シートが属するカテゴリ名称と、その名称で示されるカテゴリ内の複数のレジュメ紙シートの中での話の進め方推薦順を示す識別子が印刷記載されている金融商品紹介ロールプレイ用レジュメ集。
【請求項１７】
レジュメ目次シートは１枚で構成されている請求項１６に記載の金融商品紹介ロールプレイ用レジュメ集。
【請求項１８】
複数のレジュメ紙シートは、ピックアップして集合させることができるように独立の相互に分離されたシートである請求項１７に記載の金融商品紹介ロールプレイ用レジュメ集。